(57)【特許請求の範囲】
【請求項１】
草花や野菜の栽培のプランターに水を散水する散水装置であって、水タンクとプランターの中間に設置され、コントロールタワーは筒管で、中間に仕切板を設けて、内部に制御装置を設け、上部側では筒管に水タンクと接続する接続口を設けて、下部側には水位面を検出する浮き玉が収納された水位面検出部を設け、コントロールタワー上部には水位検出レバーを設け、水位検出レバーと浮き玉とは浮き玉ワイヤーを介して接続し、水位検出レバーと制御装置とは可動弁ワイヤーを介して接続し、可動弁Ｌ字形ワイヤーシヤフトを設けて可動弁をＬ字形にして、制御装置内部において可動弁ワイヤーを垂直方向から９０度向きを変えて、ワイヤーを水平方向に変えて、Ｌ字形のワイヤーにして可動弁を水平方向で引っ張るＣＯ２ゼロで散水を可能とする散水装置において、水位面が下がると浮き玉の重さで浮き玉ワイヤーを引く動作が起きて、水位検出レバーを介して制御装置の可動弁ワイヤーを引くことで、可動弁が開いてプランターに散水を行い、水位面が上がって可動弁ワイヤーの引く力がゼロになると、制御装置内部の可動弁スプリングの力により、可動弁を閉じて散水を止めることを特徴とするＣＯ２ゼロ散水装置。
【発明の詳細な説明】
【技術分野】
【０００１】  本発明は、草、花や野菜の栽培のプランターに水を給水する、自動散水装置である。
【背景技術】
【０００２】  従来の散水装置は時間割りでの散水方法で、常に電気タイマーか、バッテリーを電源でデジタルタイマーなどの方法で、時間計測をして、散水の時は電磁弁の開、閉動作により自動散水おこなってきた。
【発明の開示】
【発明が解決しようとする課題】
【０００３】  前記の散水装置は時間計測するために電源が必要である、散水の時は電気の力を借りて、電磁弁を動作させる必要がある、
本は発明は電源となる、電池やＡＣ１００Ｖなどの電気を利用しないで、散水動作をクリ返すＣＯ２ゼロ散水装置を提案する。
【課題を解決するための手段】
【０００４】  本発明は上記目的を達成するために、水タンクとプランターの中間に設置され、コントロールタワーは筒管で、中間に仕切板を設けて、内部に制御装置を設け、上部側では筒管に水タンクと接続する接続口を設けて、下部側には水位面を検出する浮き玉が収納された水位面検出部を設け、コントロールタワー上部には水位検出レバーを設け、水位検出レバーと浮き玉とは浮き玉ワイヤーを介して接続し、水位検出レバーと制御装置とは可動弁ワイヤーを介して接続し、可動弁Ｌ字形ワイヤーシヤフトを設けて可動弁をＬ字形にして、制御装置内部において可動弁ワイヤーを垂直方向から９０度向きを変えて、ワイヤーを水平方向に変えて、Ｌ字形のワイヤーにして可動弁を水平方向で引っ張るＣＯ２ゼロで散水を可能とする散水装置において、水位面が下がると浮き玉の重さで浮き玉ワイヤーを引く動作が起きて、水位検出レバーを介して制御装置の可動弁ワイヤーを引くことで、可動弁が開いてタワー水タンクの水をプランターに散水を行い、水位面が上がって可動弁ワイヤーの引く力がゼロになると、制御装置内部の可動弁スプリングの力により、可動弁は閉じて散水を止めることを特徴とするＣＯ２ゼロ散水装置で上記の課題を解決した。
【発明の効果】
【０００６】  上述したように、自動的に散水をクリ返すには、プランター容器内部にある土質材の水分量をプランター底部の水位を別な容器で水位を計測して、水位の高低さを検出して散水の動作をクリ返すことが可能なＣＯ２ゼロ効果ある散水動作ができる。
【発明を実施するための最良の形態】
【０００７】  以下、本発明の実施の形態を図１−５に基づいて説明する。
図１は、コントロールタワーと水位検出容器組合図を示す。
散水装置本体は筒管の中に水位面検出部２９と散水と停止をクリ返す制御装置１２が収納されているコントロールタワー１であり、水位検出容器６の中に、コントロールタワー１を設置して、水位検出容器６に一定量の水を入れ、水位面検出部２９の中に設置されている浮き玉１３が水面に自由に浮かぶ状態から、浮き玉ワイヤー１４が下側に引っ張る状態になるまで、水位検出容器６の水位を低くすると、コントロールタワー１の上部にあります水位面検出レバー１６が、浮き玉ワイヤー１４引っ張られて下側に移動することで、水位面検出レバー１６の反対側にある、可動弁ワイヤー１７が上側に上がる、可動弁ワイヤー１７が上側に移動することで制御装置１２の内部にある、可動弁シャフト２０が引っ張られて、可動弁２７が水平方向に移動することで、可動弁２７が開く。【０００８】  可動弁２７を閉じるためには水位検出容器６の水位を上げると、水位面検出部２９の中にある浮き玉１３が自由に水面に浮かぶと、浮き玉ワイヤー１４が下側に引っ張る力がゼロとなり、コントロールタワー１の上部にある、水位面検出レバー１６に力がゼロとなりますと、可動弁ワイヤー１７は制御装置１２の中にある、可動弁スプリング２１の力で下側に下がり可動弁スプリング２１の力で可動弁２７は閉じる。【０００９】  図２は、水位面検出レバー図を示す。
水位面検出レバー１６は両側に固定穴を設けてある、浮き玉ワイヤー穴２４と可動弁ワイヤー穴２５があり、中芯部には水位面検出レバー１６を支える、水位面検出レバー可動穴２６があり、コントロールタワー１の上部にある水位面検出レバーシャフト１８が水位面検出レバー可動穴２６に入ります、コントロールタワー１の上部に水位面検出レバー１６設置されます。【００１０】  図３は、制御装置断面図を示す。
コントロールタワー１の上部側のタワー水タンク３０の中に制御装置１２があります、可動弁ワイヤー１７が上側に引き上げる状態がおきると、可動弁Ｌ字形ワイヤーシャフト１９で、水平方向に引くことで可動弁シャフト２０が引っ張られる状態となり、可動弁スプリング２１より強い力がかかりますと、可動弁オーリング２２の間が開くことで、可動弁２７は開き、可動弁仕切板２３の穴から水が通り、タワー水タンク３０の水は外に散水される、
可動弁２７を閉じるには、可動弁ワイヤー１７が上側に引く力がゼロとなり、可動弁シャフト２０は内部の可動弁スプリング２１の力で、可動弁オーリング２２の間を閉じる事で、タワー水タンク３０の水の散水が停止する。【００１１】  図４は、コントロータワーと水タンクとプランター接続正面図を示す。
水タンク８とプランター２の中間に水位検出容器６が設置されます、その容器の中にコントロールタワー１が入ります、コントロールタワー１の中の制御装置１２には散水管５が接続されます、水タンク８の下側に水タンク台座４とプランター２の下側にもプランター台座９を設けてあります、水タンク８とコントロールタワー１の間に水タンクとコントロールタワー接続管１１により接続されます、プランター２と水位検出容器６の間にも、プランターと水位検出容器接続管７により接続されます。【００１２】  図５は、コントロールタワーと水タンクとプランター接続断面図を示す。
始めに水タンク８より水タンクとコントロールタワー接続管１１経由して水はタワー水タンク３０に入ります、水位検出容器６は水位ゼロですので、制御装置１２の可動弁２７は開放されておりますので、散水管５の中に水が入り、プランター２に散水が始まります、プランター２の中に水が入り、プランター底部排水口３より、水は水位検出容器６の中に水ははいります、容器の水位が上がりコントロールタワー１の水位面検出部２９の中にあります、浮き玉１３が水面に自由に浮かぶ状態になりますと、浮き玉ワイヤー１４が引く力がゼロとなると、制御装置１２の可動弁スプリング２１の力で可動弁２７閉じます、プランター２に散水は停止します。【００１３】  プランター２に散水を始めるには、水位検出容器６の水位を下げるには、プランター２の中にあります草、花や野菜により土中の中の水分が根より吸収されて、プランター底部にある水が毛細管現象で上にあがり、底部の水は少なくなりますと、プランター底部排水管３よりプランターと水位検出容器接続管７を経由して、プランター２の内部に水位検出容器６の水を取水することになります、水位検出容器６の水位がさがり始めます、一定の水位まで下がると、水位面検出部２９の中にある浮き玉１３は下側に下がるために、浮き玉ワイヤー１４が下側に引っ張らる状態となり、コントロールタワー１の上部にある水位面検出レバー１６を下側に下げて、水位面検出レバー１６の反対側が上側に上がる状態となり可動弁ワイヤー１７を上側に引き上げる状態が起きて、制御装置１２の中の可動弁２７を開放して散水を始めることが可能となる。
【図面の簡単な説明】
【００１４】
【図１】コントロールタワーと水位検出容器組合図。
【図２】水位面検出レバー図。
【図３】制御装置断面図。
【図４】コントロールタワーと水タンクとプランター接続正面図。
【図５】コントロールタワーと水タンクとプランター
【符号の説明】
【００１５】１．コントロールタワー
２．プランター
３．プランター底部排水口
４．水タンク台座
５．散水管
６．水位検出容器
７．プランターと水位検出容器接続管
８．水タンク
９．プランター台座
１０．散水管止め栓
１１．水タンクとコントロールタワー接続管
１２．制御装置
１３．浮き玉
１４．浮き玉ワイヤー
１５．仕切板
１６．水位面検出レバー
１７．可動弁ワイヤー
１８．水位面検出レバーシャフト
１９．可動弁Ｌ字形ワイヤーシャフト
２０．可動弁シャフト
２１．可動弁スプリング
２２．可動弁オーリング
２３．可動弁仕切板
２４．浮き玉ワイヤー穴
２５．可動弁ワイヤー穴
２６．水位面検出レバー可動穴
２７．可動弁
２８．浮き玉ワイヤー案内穴
２９．水位面検出部
３０．タワー水タンク
【図１】
0004941937.tif 000002
【図２】
0004941937.tif 000003
【図３】
0004941937.tif 000004
【図４】
0004941937.tif 000005
【図５】
0004941937.tif 000006